(57)【要約】【課題】部品点数の削減を図る。【解決手段】器具本体２は、長尺の樋状に形成されている筐体２０と、筐体２０の長手方向の両端をそれぞれ塞ぐ一対のエンド部材２１と、透光性を有する材料で板状に形成され、筐体２０の長手方向に沿った開放端を閉塞するカバー２２とを有している。筐体２０は、開放端と隣り合う一対の側壁２０１と、一対の側壁２０１の内側面から筐体２０の長手方向に沿って突出する一対の基台部２０２とを備えている。一対の基台部２０２は、一対の側壁２０１と一体に形成されている。一対の基台部２０２は、カバー２２と対向する側の面（前面）に光源ユニット３が取り付けられる。【選択図】        図２
2017152158.tif 000002
【特許請求の範囲】
【請求項１】
光源ユニットと、前記光源ユニットを内部に収容する器具本体とを備え、
前記器具本体は、長尺の樋状に形成されている筐体と、前記筐体の長手方向の両端をそれぞれ塞ぐ一対のエンド部材と、透光性を有する材料で板状に形成され、前記筐体の長手方向に沿った開放端を閉塞するカバーとを有し、
前記筐体は、前記開放端と隣り合う一対の側壁と、前記一対の側壁の内側面から前記筐体の長手方向に沿って突出する一対の基台部とを備え、
前記一対の基台部は、前記一対の側壁と一体に形成されており、
前記一対の基台部は、前記カバーと対向する側の面に前記光源ユニットが取り付けられることを特徴とする照明器具。
【請求項２】
前記光源ユニットを前記一対の基台部に取り付けるための取付部材を備えることを特徴とする請求項１記載の照明器具。
【請求項３】
前記取付部材は、前記一対の基台部のうちの一方の前記基台部に固定される第１脚部と、前記一対の基台部のうちの他方の前記基台部に固定される第２脚部と、前記第１脚部と前記第２脚部の間に架け渡された板状の取付部とを有し、
前記光源ユニットが前記取付部に取り付けられていることを特徴とする請求項２記載の照明器具。
【請求項４】
前記一対の基台部は、前記光源ユニットが取り付けられる面に、前記側壁から離れるに連れて前記カバーから段階的に遠ざかる向きに並ぶ複数のステップを有して、それぞれ階段状に形成されていることを特徴とする請求項１〜３の何れか１項に記載の照明器具。
【発明の詳細な説明】
【技術分野】
【０００１】
本発明は、照明器具に関し、より詳細には、発光ダイオードのような固体光源を光源とする照明器具に関する。
【背景技術】
【０００２】
従来例として、特許文献１記載のＬＥＤ照明器具を例示する。特許文献１記載のＬＥＤ照明器具（以下、従来例という）は、トンネルの内壁面に取り付けられてトンネル照明を行う、トンネル灯である。
【０００３】
この従来例は、器具本体、電源供給装置、透光パネル、複数のＬＥＤ、ＬＥＤ固定板などを備えている。器具本体は、前面が開口した扁平な矩形箱状に形成されている。複数のＬＥＤは、ＬＥＤ固定板に取り付けられている。ＬＥＤ固定板は、２対の固定板支持具によって器具本体の底板の内面に取り付けられている。なお、器具本体の底板の内面には、電源供給装置が取り付けられている。また、透光パネルは、蝶番により、器具本体の前面を塞ぐ位置と開放する位置との間で回転可能に器具本体に取り付けられている。
【先行技術文献】
【特許文献】
【０００４】
【特許文献１】特開２０１１−１７５７８４号公報
【発明の概要】
【発明が解決しようとする課題】
【０００５】
ところで、特許文献１記載の従来例は、器具本体と、複数の固定板支持具とが独立した部品として構成されている。そのため、複数の固定板支持具は、溶接やねじ止めなどの適宜の方法で器具本体の底板の内面に取り付けられている。しかしながら、特許文献１記載の従来例のような構成では、固定板支持具によって部品点数が増えてしまう。
【０００６】
本発明の目的は、部品点数の削減を図ることができる照明器具を提供することである。
【課題を解決するための手段】
【０００７】
本発明の一態様に係る照明器具は、光源ユニットと、前記光源ユニットを内部に収容する器具本体とを備えている。前記器具本体は、長尺の樋状に形成されている筐体と、前記筐体の長手方向の両端をそれぞれ塞ぐ一対のエンド部材と、透光性を有する材料で板状に形成され、前記筐体の長手方向に沿った開放端を閉塞するカバーとを有している。前記筐体は、前記開放端と隣り合う一対の側壁と、前記一対の側壁の内側面から前記筐体の長手方向に沿って突出する一対の基台部とを備えている。前記一対の基台部は、前記一対の側壁と一体に形成されている。前記一対の基台部は、前記カバーと対向する側の面に前記光源ユニットが取り付けられる。
【発明の効果】
【０００８】
本発明の一態様に係る照明器具は、部品点数の削減を図ることができるという効果がある。
【図面の簡単な説明】
【０００９】
【図１】図１は、本発明の一実施形態に係る照明器具の分解斜視図である。
【図２】図２は、同上の照明器具の断面図である。
【図３】図３は、同上の照明器具の斜視図である。
【図４】図４Ａは、同上の照明器具の正面図である。図４Ｂは、同上の照明器具の平面図である。図４Ｃは、同上の照明器具の左側面図である。
【図５】図５Ａは、本発明の別の実施形態に係る照明器具における器具本体の側面図である。図５Ｂは、同上の照明器具における器具本体と光源ユニットの側面図である。
【発明を実施するための形態】
【００１０】
以下、本発明の一実施形態に係る照明器具１について、図面を参照して詳細に説明する。本実施形態に係る照明器具１（以下、照明器具１と略す）は、特許文献１記載の従来例と同様に、トンネル照明に用いられる照明器具（トンネル灯）である。ただし、照明器具１は、トンネル灯に限定されない。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１１】
照明器具１は、図１に示すように、器具本体２と、光源ユニット３とを備える。また、照明器具１は、取付部材４、電源ユニット５、２つの制御ユニット６、変圧器ユニット７などを更に備えることが好ましい。なお、以下の説明では、図１において、照明器具１の上下、前後及び左右の各方向を規定する。
【００１２】
光源ユニット３は、３種類の光源ユニット（第１の光源ユニット３Ａ、第２の光源ユニット３Ｂ並びに第３の光源ユニット３Ｃ）を有することが好ましい。第１の光源ユニット３Ａは、２枚の基板３０と、２枚の基板３０の前面にそれぞれ実装されている複数のＬＥＤ（発光ダイオード）と、２枚の基板３０にそれぞれ取り付けられている２つのレンズユニット３１Ａとを有することが好ましい。基板３０は矩形板状に形成されている。２つのレンズユニット３１Ａは、矩形板状のベース部３１０と、複数（図示例では３０個）のレンズ３１１Ａと、４つの取付部３１２とをそれぞれ有している。レンズ３１１Ａはそれぞれ、概ね回転楕円体が長軸に沿って半分に分割されたドーム状に形成されている。４つの取付部３１２は、ベース部３１０の長手方向（左右方向）に沿った２つの側面のほぼ中央に、それぞれ２つずつ設けられている。ここで、レンズユニット３１Ａのベース部３１０、レンズ３１１Ａ、取付部３１２などの構成要素は、ポリカーボネート樹脂やアクリル樹脂等の透光性及び弾性を有する合成樹脂材料の成形体として一体に形成されることが好ましい。ただし、レンズユニット３１Ａは、取付部３１２以外の構成要素がガラス（例えば、石英ガラスなど）で構成されても構わない。なお、第２の光源ユニット３Ｂ並びに第３の光源ユニット３Ｃは、レンズユニット３１Ｂのレンズ３１１Ｂ及びレンズユニット３１Ｃのレンズ３１１Ｃを除いて、第１の光源ユニット３Ａと共通の構成を有している。
【００１３】
３種類の光源ユニット３はそれぞれ、３つの取付部材４に取り付けられる（図１および図２参照）。これら３つの取付部材４は、一対の第１脚部４０と、一対の第２脚部４１と、取付部４２とをそれぞれ有している。さらに、３つの取付部材４は、一対の補強部４３をそれぞれ有することが好ましい。取付部４２は、概ね矩形板状に形成されている。取付部４２の前面に、光源ユニット３がねじ止めによって取り付けられる。一対の第１脚部４０はそれぞれ、取付部４２の長手方向（左右方向）の両端における上端部分から後方へ突出している。一対の第１脚部４０は、上下方向から見てＬ字形状に形成されている。また、一対の第１脚部４０の後端部分には、半円形状のねじ挿通溝４００がそれぞれ設けられている。一対の第２脚部４１はそれぞれ、取付部４２の長手方向（左右方向）の両端における下端部分から後方へ突出している。一対の第２脚部４１は、上下方向から見てＬ字形状に形成されている。また、一対の第２脚部４１の後端部分には、半円形状のねじ挿通溝４１０がそれぞれ設けられている。一対の補強部４３はそれぞれ、矩形板状であって、取付部４２の上端縁及び下端縁から後方に突出するように構成されている。なお、一対の第１脚部４０、一対の第２脚部４１、取付部４２及び一対の補強部４３は、鋼板などの金属板が曲げ加工されることで一体に形成されることが好ましい。
【００１４】
電源ユニット５は、長尺のプリント配線板に種々の電子部品が実装された回路ブロック５０と、回路ブロック５０を収容する電源ケース５１とを有している（図１参照）。回路ブロック５０は、電力系統から供給される交流の電圧・電流を直流の電圧・電流に変換するように構成されている。また、回路ブロック５０は、制御ユニット６に制御されることにより、直流の出力電流を増減して光源ユニット３の光出力（光束）を調整（調光）するように構成されている。
【００１５】
２つの制御ユニット６はそれぞれ、矩形のプリント配線板に電解コンデンサなどの電子部品が実装された制御回路ブロック６０と、制御回路ブロック６０を収容するケース６１とを有している。これら２つの制御回路ブロック６０はそれぞれ、例えば、ＰＷＭ（パルス幅変調）信号からなる調光信号を平滑（積分）し、平滑した電圧信号（制御信号）を電源ユニット５の回路ブロック５０にそれぞれ出力するように構成されている。そして、電源ユニット５の回路ブロック５０は、２つの制御ユニット６の制御回路ブロック６０からそれぞれ出力される制御信号に応じて、直流の出力電流を調整している。
【００１６】
変圧器ユニット７は、電力系統から供給される高電圧（たとえば、実効値が４１５［Ｖ］の交流電圧）を電源ユニット７０の定格入力電圧（たとえば、実効値が２００［Ｖ］以下の交流電圧）に降圧するように構成されている。変圧器ユニット７は、ダウントランス（降圧用変圧器）及びケース７０を有している。ケース７０は、金属製の板材により、長尺の角筒状に形成されている。ケース７０は、ダウントランスを内部に収容している。つまり、変圧器ユニット７は、ダウントランスで降圧した交流電圧を電源ユニット７０に供給している。なお、照明器具１は、非常用照明ユニットを備えてもよい。非常用照明ユニットは、電力系統から供給される交流電力を蓄電池に蓄電し、電力系統の停電時に蓄電池に蓄電した電力を電源ユニット７０に供給して非常用照明を行うように構成されることが好ましい。
【００１７】
器具本体２は、筐体２０と、一対のエンド部材２１と、カバー２２とを有している。また、器具本体２は、第１シール部材２３、取付ねじ２４、第２シール部材２５並びに固定具２６などを更に有することが好ましい。
【００１８】
筐体２０は、図２に示すように、一対の側壁２０１及び一対の基台部２０２を備えている。また、筐体２０は、底壁２００、４つのねじ受け部２０３、一対の収納部２０４などを備えることが好ましい。底壁２００は、左右方向を長手方向とする長尺の矩形板状に形成されている。一対の側壁２０１はそれぞれ、長尺の矩形板状であって、底壁２００の長手方向に沿った両端（上端及び下端）の縁から前方へ突出するように底壁２００と一体に形成されている。つまり、筐体２０は、概ね前面と左右両端面が開口した角樋状に形成されている。
【００１９】
一対の基台部２０２はそれぞれ、側壁２０１の長手方向（左右方向）の長さに等しい長尺の矩形板状に形成されている。一方の基台部２０２は、上側の側壁２０１の内側面における前後方向のほぼ中央から、底壁２００と平行かつ下向きに突出するように側壁２０１と一体に形成されている。他方の基台部２０２は、下側の側壁２０１の内側面における前後方向のほぼ中央から、底壁２００と平行かつ上向きに突出するように側壁２０１と一体に形成されている。
【００２０】
４つのねじ受け部２０３はそれぞれ、軸方向（左右方向）から見た形状がＣ字状となり、かつ、側壁２０１の長手方向（左右方向）の長さに等しい長さの筒形に形成されている（図１および図２参照）。２つのねじ受け部２０３は、底壁２００と上側の側壁２０１の繋ぎ目の内側の部分（隅）と、底壁２００と下側の側壁２０１の繋ぎ目の内側の部分（隅）とにそれぞれ１つずつ配置されている。残り２つのねじ受け部２０３は、一対の側壁２０１の開放端（前端）と一対の基台部２０２との間の位置における、それぞれの側壁２０１の内側面（上面及び下面）に１つずつ配置されている（図２参照）。また、これら４つのねじ受け部２０３はそれぞれ、軸方向における両端（左右両端）部分の内周面に雌ねじが形成されている。
【００２１】
一対の収納部２０４はそれぞれ、左右方向から見た形状がＬ字状であり、側壁２０１の長手方向（左右方向）の長さに等しい長さの板状に形成されている（図１及び図２参照）。一方の収納部２０４は、上側の側壁２０１の開放端（前端）と上側の基台部２０２との間の位置における、上側の側壁２０１の内側面（上面）に配置されている（図２参照）。他方の収納部２０４は、下側の側壁２０１の開放端（前端）と下側の基台部２０２との間の位置における、下側の側壁２０１の内側面（下面）に配置されている（図２参照）。
【００２２】
さらに、筐体２０は、３つのボルト保持部２０５を備えることが好ましい。２つのボルト保持部２０５（以下、第１ボルト保持部２０５Ａと呼ぶ場合がある）は、一対の基台部２０２の先端の後面にそれぞれ１つずつ配置されている。残り１つのボルト保持部２０５（以下、第２ボルト保持部２０５Ｂと呼ぶ場合がある）が底壁２００の上下方向のほぼ中央に配置されている。２つの第１ボルト保持部２０５Ａは、一対の基台部２０２の長手方向（左右方向）の長さに等しい長さを有し、かつ、それぞれの基台部２０２の後面から後方に突出する角筒状に形成されている。ただし、一対の基台部２０２はそれぞれ、２つの第１ボルト保持部２０５Ａの内部空間と繋がる２つの溝２０６Ａ、２０６Ｂが長手方向（左右方向）の全長に渡って形成されている（図１および図２参照）。２つの第１ボルト保持部２０５Ａはそれぞれ、内部空間に頭部１１を収容し、かつ、ねじ部１２を溝２０６Ａから突出させるようにして、複数本のボルト１０を保持する（図２参照）。
【００２３】
一方、第２ボルト保持部２０５Ｂは、底壁２００の前面の中央から前方に突出する一対の突条片で構成されている。これら一対の突条片は、左右方向から見た形状がＬ字状に形成されている。第２ボルト保持部２０５Ｂは、一対の突条片と底壁２００に囲まれた内部空間と、一対の突条片の先端部分の間に設けられている溝２０６Ｂとを有している（図２参照）。第２ボルト保持部２０５Ｂは、内部空間に頭部を収容し、かつ、ねじ部を溝２０６Ｂから突出させるようにして、複数のボルトを保持する。ただし、第１ボルト保持部２０５Ａ及び第２ボルト保持部２０５Ｂは、長手方向（左右方向）に沿って移動可能にボルト１０を保持する。
【００２４】
また、一対の側壁２０１の内側面において、ねじ受け部２０３と収納部２０４との間に、側壁２０１の長手方向に沿った矩形の凹部２０７がそれぞれ設けられている（図２参照）。これら一対の凹部２０７には、４つの取付金具２０８がそれぞれ固定されている。８つの取付金具２０８はそれぞれ、固定片２０８０と、取付片２０８１とを有する。なお、固定片２０８０と取付片２０８１とは、金属板が曲げ加工されることで一体に形成されることが好ましい。これらの取付金具２０８は、固定片２０８０が側壁２０１の凹部２０７に嵌め込まれることで側壁２０１に固定される（図２参照）。また、取付片２０８１の先端部分には、ねじ孔２０８２が形成されている（図２参照）。
【００２５】
ここで、筐体２０は、アルミ又はアルミ合金の押出成形により、底壁２００、側壁２０１、基台部２０２、ねじ受け部２０３、収納部２０４並びにボルト保持部２０５が一体に形成されることが好ましい。つまり、一対の基台部２０２は、別部品としてではなく、筐体２０の一部として筐体２０と一体に形成されている。
【００２６】
一対のエンド部材２１はそれぞれ、側板２１０と、周壁２１１と、４つのボス２１２と、収納凹部２１３とを有している。側板２１０は、概ね矩形板状に形成されている。周壁２１１は、側板２１０の上端、下端及び後端から側板２１０の厚み方向（左右方向）に突出するように形成されている。ただし、周壁２１１の前端部分は、側板２１０の前端よりも後方に位置している。そして、収納凹部２１３は、側板２１０の前端部分と、周壁２１１の前端部分とで囲まれるように構成されている（図１参照）。４つのボス２１２はそれぞれ、筒状に形成されている。ただし、２つのボス２１２はそれぞれ、側板２１０と周壁２１１の両隅に配置されている。また、残り２つのボス２１２はそれぞれ、側板２１０の上端及び下端における前方近くに配置されている。
【００２７】
一対のエンド部材２１はそれぞれ、筐体２０の長手方向（左右方向）の端に取り付けられる。すなわち、一対のエンド部材２１はそれぞれ、筐体２０の４つのねじ受け部２０３の雌ねじに４本のねじ２１５でねじ止めされる。すなわち、４つのボス２１２をそれぞれ貫通している４つのねじ挿通孔に４本のねじ２１５が挿通され、これら４本のねじ２１５が４つのねじ受け部２０３の雌ねじにそれぞれねじ込まれる。その結果、一対のエンド部材２１が、筐体２０の左右両端の開口を塞ぐようにして筐体２０に取り付けられている（図３参照）。なお、筐体２０に一対のエンド部材２１が取り付けられた状態では、一対のエンド部材２１の収納凹部２１３と筐体２０の収納部２０４とが繋がっている。
【００２８】
固定具２６は、エンド部材２１にねじ止めされるねじ止め片２６０と、被取付箇所（たとえば、トンネルの内壁）に取り付けられる取付片２６１とを有している（図１参照）。ただし、固定具２６は、矩形の板材がＬ字形状に曲げ加工されることでねじ止め片２６０と取付片２６１が一体に形成されることが好ましい。
【００２９】
第１シール部材２３は、たとえば、シリコーン樹脂製の環状のガスケットで構成されることが好ましい（図１参照）。第１シール部材２３は、一対の側壁２０１のそれぞれの収納部２０４と、一対のエンド部材２１のそれぞれの収納凹部２１３とに収納される（図２参照）。
【００３０】
カバー２２は、透光性を有する材料（ガラス又はアクリル樹脂、ポリカーボネート樹脂など）によって、長尺の長方形の４つの角を丸めた形状に形成されている。カバー２２は、上部及び下部にそれぞれ４つの丸孔２２０が設けられている。カバー２２の上部に設けられている４つの丸孔２２０は、カバー２２の長手方向（左右方向）に沿って等間隔かつ直線上に並ぶように配置されている。また、カバー２２の下部に設けられている４つの丸孔２２０は、カバー２２の長手方向（左右方向）に沿って等間隔かつ直線上に並ぶように配置されている。
【００３１】
８つの第２シール部材２５はそれぞれ、円筒形状の胴部２５０と、胴部２５０の軸方向の一端（前端）から胴部２５０の径方向に突出する円板状の外鍔部２５１とを有している（図１参照）。なお、胴部２５０と外鍔部２５１とは、シリコーン樹脂などの弾性を有する材料で一体に形成されることが好ましい。また、８つの取付ねじ２４はそれぞれ、つば付きの六角ボルトである。
【００３２】
次に、照明器具１の組立作業の手順を説明する。組立作業を行う作業者は、筐体２０の底壁２００の第２ボルト保持部２０５Ｂに複数本のボルトを保持させる。そして、作業者は、それら複数本のボルトに、電源ユニット５の電源ケース５１、制御ユニット６のケース６１及び変圧器ユニット７のケース７０をねじ止めする。その結果、筐体２０の底壁２００に電源ユニット５、制御ユニット６及び変圧器ユニット７が固定される。このように筐体２０に設けられた第２ボルト保持部２０５Ｂに保持されているボルトに、電源ケース５１等がねじ止めされれば、筐体２０の底壁２００にボルト用の孔が不要である。ゆえに、筐体２０の底壁２００にボルト用の孔が設けられる場合と比較して、筐体２０の防水構造の簡略化を図ることができる。
【００３３】
続いて、作業者は、一対の側壁２０１のそれぞれの第１ボルト保持部２０５Ａに６本のボルト１０を保持させる。そして、作業者は、それぞれに第１〜第３の光源ユニット３Ａ〜３Ｃが取り付けられている３つの取付部材４を筐体２０の一対の基台部２０２に取り付ける。まず、作業者は、３つの取付部材４のそれぞれの第１脚部４０のねじ挿通溝４００及び第２脚部４１のねじ挿通溝４１０に、一対の第１ボルト保持部２０５Ａに保持されている１２本のボルト１０のねじ部１２をそれぞれ挿通する。さらに、作業者は、それぞれのねじ挿通溝４００、４１０に挿通したボルト１０のねじ部１２にナット１３を締め付ける。その結果、３つの取付部材４が筐体２０の一対の基台部２０２に取り付けられる（図２参照）。なお、作業者は、ナット１３を緩めた状態でボルト１０及びナット１３とともに取付部材４を移動させることができる。
【００３４】
次に、作業者は、筐体２０の左右両端にそれぞれエンド部材２１を１つずつ取り付ける。作業者は、それぞれのエンド部材２１の４つのねじ挿通孔に４本のねじ２１５を挿通し、それら４本のねじ２１５を筐体２０の４つのねじ受け部２０３の雌ねじにそれぞれねじ込む。その結果、一対のエンド部材２１が、筐体２０の左右両端の開口を塞ぐようにして筐体２０に取り付けられる。
【００３５】
それから、作業者は、筐体２０の収納部２０４及び一対のエンド部材２１の収納凹部２１３に第１シール部材２３を収納する。そして、作業者は、第１シール部材２３の前方から筐体２０の前端にカバー２２を被せ、カバー２２の８つの丸孔２２０に、８つの第２シール部材２５の胴部２５０を前方から挿入する。最後に、作業者は、８本の取付ねじ２４をそれぞれ８つの第２シール部材２５に挿通し、一対の側壁２０１の凹部２０７に取り付けられている８つの取付金具２０８のねじ孔２０８２にそれぞれねじ込む。その結果、カバー２２は、第１シール部材２３でシールされた状態で筐体２０に取り付けられる（図３及び図４Ａ〜図４Ｃ参照）。なお、上述のようにカバー２２が筐体２０にねじ止めされる構成では、特許文献１記載の従来例のようにカバーが蝶番によって筐体に取り付けられる構成と比較して、部品点数の削減及び筐体２０の小型化を図ることができる。
【００３６】
上述のように、光源ユニット３は、筐体２０と一体に形成されている一対の基台部２０２に取り付けられる。そのため、照明器具１は、器具本体と別体の部品である複数の固定板支持具に光源ユニットが取り付けられる場合と比較して、部品点数の削減を図ることができる。
【００３７】
また、光源ユニット３は、取付部材４によって一対の基台部２０２に取り付けられることが好ましい。つまり、光源ユニット３が取付部材４を用いて一対の基台部２０２に取り付けられれば、光源ユニット３から放射される光束の照射範囲を、取付部材４によって調整することができる。つまり、取付部材４の第１脚部４０の長さ（高さ）、及び第２脚部４１の長さ（高さ）に応じて、一対の基台部２０２に対する取付部材４の取付部４２の傾きが変わるので、取付部材４によって光源ユニット３の照射範囲が調整可能となる。
【００３８】
照明器具１は上述のように、光源ユニット３と、光源ユニット３を内部に収容する器具本体２とを備えている。器具本体２は、長尺の樋状に形成されている筐体２０と、筐体２０の長手方向の両端をそれぞれ塞ぐ一対のエンド部材２１と、透光性を有する材料で板状に形成され、筐体２０の長手方向に沿った開放端を閉塞するカバー２２とを有している。筐体２０は、開放端と隣り合う一対の側壁２０１と、一対の側壁２０１の内側面から筐体２０の長手方向に沿って突出する一対の基台部２０２とを備えている。一対の基台部２０２は、一対の側壁２０１と一体に形成されている。一対の基台部２０２は、カバー２２と対向する側の面（前面）に光源ユニット３が取り付けられる。
【００３９】
照明器具１が上述のように構成されれば、筐体２０と一体に形成されている一対の基台部２０２に光源ユニット３が取り付けられるため、筐体と基台部が別体に構成される場合と比較して、部品点数の削減を図ることができる。
【００４０】
また、照明器具１において、光源ユニット３を一対の基台部２０２に取り付けるための取付部材４を備えることが好ましい。
【００４１】
照明器具１が上述のように構成されれば、光源ユニット３から放射される光束の照射範囲を、取付部材４によって調整することができる。
【００４２】
さらに、照明器具１において、取付部材４は、一対の基台部２０２のうちの一方の基台部２０２に固定される第１脚部４０と、一対の基台部２０２のうちの他方の基台部２０２に固定される第２脚部４１とを有することが好ましい。取付部材４は、第１脚部４０と第２脚部４１の間に架け渡された板状の取付部４２を有することが好ましい。光源ユニット３が取付部４２に取り付けられていることが好ましい。
【００４３】
照明器具１が上述のように構成されれば、第１脚部４０及び第２脚部４１の長さに応じて、一対の基台部２０２に対する取付部材４の取付部４２の傾きが変わるので、取付部材４によって光源ユニット３の照射範囲が調整可能となる。
【００４４】
ところで、一対の基台部２０２は、図５Ａに示すように、光源ユニット３が取り付けられる面（前面）に、側壁２０１から離れるに連れてカバー（側壁２０１の前端）から段階的に遠ざかる向きに並ぶ複数のステップ２０２１〜２０２５を有してもよい。つまり、一対の基台部２０２はそれぞれ階段状に形成されていてもよい。なお、以下の説明では、複数のステップは、側壁２０１の前端に近い順に第１のステップ２０２１、第２のステップ２０２２、第３のステップ２０２３、第４のステップ２０２４及び第５のステップ２０２５と呼ばれる場合がある。
【００４５】
上側の基台部２０２の第１のステップ２０２１と、下側の基台部２０２の第５のステップ２０２５とは、それぞれの前面（光源ユニット３の取付面）が同一の平面の一部となるように形成されている。また、上側の基台部２０２の第２のステップ２０２２と、下側の基台部２０２の第４のステップ２０２４とは、それぞれの前面が同一の平面の一部となるように形成されている。さらに、上側の基台部２０２の第３のステップ２０２３と、下側の基台部２０２の第３のステップ２０２３とは、それぞれの前面が同一の平面の一部となるように形成されている。また、上側の基台部２０２の第４のステップ２０２４と、下側の基台部２０２の第２のステップ２０２２とは、それぞれの前面が同一の平面の一部となるように形成されている。さらに、上側の基台部２０２の第５のステップ２０２５と、下側の基台部２０２の第１のステップ２０２１とは、それぞれの前面が同一の平面の一部となるように形成されている。
【００４６】
光源ユニット３は、図５Ｂに示すように、上側の基台部２０２の第１のステップ２０２１の前面と、下側の基台部２０２の第５のステップ２０２５の前面とに取り付けられる場合がある。あるいは、光源ユニット３は、図５Ｂに示すように、上側の基台部２０２の第２のステップ２０２２の前面と、下側の基台部２０２の第４のステップ２０２４の前面とに取り付けられる場合がある。または、光源ユニット３は、図５Ｂに示すように、上側の基台部２０２の第３のステップ２０２３の前面と、下側の基台部２０２の第３のステップ２０２３の前面とに取り付けられる場合がある。さらに、光源ユニット３は、図５Ｂに示すように、上側の基台部２０２の第４のステップ２０２４の前面と、下側の基台部２０２の第２のステップ２０２２の前面とに取り付けられる場合がある。あるいは、光源ユニット３は、図５Ｂに示すように、上側の基台部２０２の第５のステップ２０２５の前面と、下側の基台部２０２の第１のステップ２０２１の前面とに取り付けられる場合がある。すなわち、光源ユニット３は、上述した５通りの取付方法のうちの何れか１つの取付方法で一対の基台部２０２に取り付けられる。
【００４７】
ここで、光源ユニット３から照射される光束の照射範囲（上下方向の角度）は、上述した５通りの取付方法毎に異なっている。つまり、光源ユニット３の光束の照射範囲は、一対の基台部２０２に対する光源ユニット３の取付方向（取付方向）の違いによって調整可能である。ただし、階段状に形成されている基台部２０２のステップ数は５段に限定されず、２段〜４段あるいは６段以上であっても構わない。
【００４８】
上述のように照明器具１において、一対の基台部２０２は、光源ユニット３が取り付けられる面（前面）に、側壁２０１から離れるに連れてカバー（側壁２０１の前端）から段階的に遠ざかる向きに並ぶ複数のステップ２０２１〜２０２５を有することが好ましい。一対の基台部２０２はそれぞれ階段状に形成されていることが好ましい。
【００４９】
照明器具１が上述のように構成されれば、一対の基台部２０２に対する光源ユニット３の取り付け方（取付方法）に応じて、光源ユニット３の光束の照射範囲が調整可能となる。
【符号の説明】
【００５０】
１  照明器具
２  器具本体
３  光源ユニット
４  取付部材
２０  筐体
２１  エンド部材
２２  カバー
４０  第１脚部
４１  第２脚部
４２  取付部
２０１  側壁
２０２  基台部
２０２１〜２０２５  ステップ
【図１】
2017152158.tif 000003
【図２】
2017152158.tif 000004
【図３】
2017152158.tif 000005
【図４】
2017152158.tif 000006
【図５】
2017152158.tif 000007